(57)【要約】【課題】流れの速い潮流でも流されにくく自起立型を保持し、魚の餌食い反応（アタリ）を敏感に把握することができ、所定の重量バランスを有した遠投性に優れた投げ釣り用おもりを提供する。【解決手段】その上端側１１ａに天秤などを係止する係止部１３を備えたフロート部１１と、フロート部の基端側１１ｂに接合され半球状の底部１２ａを有するシンカー部１２と、を備えた自起立性に優れた投げ釣り用おもり１０であって、フロート部は、シンカー部に比較して軽量であり、その基端側の外径Ａがシンカー部の最大外径Ｂより小さく形成されるとともに、フロート部をその基端側から上端側に向かって縮径するようにした。【選択図】図１
0003180673.tif 000002
【実用新案登録請求の範囲】
【請求項１】
その先端側に天秤などを係止する係止部を備えたフロート部と、
前記フロート部の基端側に接合され半球状の底部を有するシンカー部と、
を備えた自起立性に優れた投げ釣り用おもりであって、
前記フロート部は、
前記シンカー部に比較して軽量であり、
その基端側の外径Ａが前記シンカー部の最大外径Ｂより小さく形成されるとともに、
前記フロート部をその基端側から先端側に向かって縮径するようにしたことを特徴とする投げ釣り用おもり。
【請求項２】
前記投げ釣り用おもりの先端側に設けた係止部は、
前記シンカー部中央に立設された軸の先端から前記フロート部の下方を挿入させ、フロート部をシンカー部の上部へ固着させた後、
前記軸の先端を折り曲げて丸くし、リングとしたものであることを特徴とする請求項１に記載の投げ釣り用おもり。
【請求項３】
前記フロート部及び前記シンカー部とをネジ止め機構により着脱自在に接合するとともに、前記フロート部又は前記シンカー部に空洞を設け、
海底に着底したおもりの起立状態を調整するためのバラスト材や、
プランクトンなどを誘引するための生物誘引剤、アタリを誘うためのラトル、振動モータ、発光ダイオードなどを配置するための収納部を有していることを特徴する請求項１又は２に記載の投げ釣り用おもり。
【考案の詳細な説明】
【技術分野】
【０００１】
本考案は、投げ釣りにおいて、遠投性や操作性に優れた投げ釣り用おもりに関し、特に、流れの強い潮流に対しても自起立性に優れた投げ釣り用おもりに関する。
【背景技術】
【０００２】
従来、投げ釣り用のおもりは、細長い形状のものが多く、高比重の基部（シンカー部）の上端側にプラスチックや木あるいはプラスチック発泡体などからなるフロート部と合体され、遠投できるように重量バランスなどを考慮して配置されているものがある。
また、従来の投げ用おもりは、天秤型のものが多く、遠投性も良く、天秤の効果で糸よれも少なく仕掛として有効であったが、着底後、おもりの形状により岩場や消波ブロック、海草の繁った場所など突起、凹凸が多い海底では、仕掛のおもりがひっかかり（根がかり）し、仕掛を紛失、回収するのが困難であった。
このような根がかりなどを防ぐための投げ釣り用おもりとして、例えば特許文献１（実用新案登録第３０８４２９８号公報）には、曲面部を底面となした半球部と、その半球部の上面中央部に上方へ向って突設した立板部とを有して、その半球部の内部に重心を位置させることにより自ら起き上がる機能（自起立型）を持たせた釣用仕掛のおもりが記載されている。
【先行技術文献】
【特許文献】
【０００３】
【特許文献１】実用新案登録第３０８４２９８号公報
【考案の概要】
【考案が解決しようとする課題】
【０００４】
しかしながら、前記従来の投げ釣り用おもりなどでは、海底などに着底した後の起き上がり力（自起立力）が不足しているために、潮流や海底などの状態によっては、海底に着底したおもりは横倒しになったままであり、使用者がおもりを操作（トレース）してもその状態は変わらなかった。
また、海底に着底した状態で自起立させる目的でおもりに軽量な浮き（フロート部）を取り付けたものがあるが、着底地点での接地重量が小さくなり、潮流により流され易くなるという問題があった。
【０００５】
本考案は前記従来の課題を解決するためになされたもので、海底で横倒しとなっても起立姿勢に素早く復元して（自起立性に優れ）、流れの速い潮流でも自起立型を保持し、魚の餌食い反応（アタリ）を敏感に把握することができ、所定の重量バランスを有した遠投性に優れた投げ釣り用おもりを提供することを目的とする。
【課題を解決するための手段】
【０００６】
（１）本考案の投げ釣り用おもりは、その上端側に天秤などを係止する係止部を備えたフロート部と、前記フロート部の基端側に接合され半球状の底部を有するシンカー部と、を備えた自起立性に優れた投げ釣り用おもりであって、
前記フロート部は、前記シンカー部に比較して軽量であり、その基端側の外径Ａが前記シンカー部の最大外径Ｂより小さく形成されるとともに、前記フロート部をその基端側から上端側に向かって縮径するようにしたことを特徴とする。
【０００７】
（２）本考案は前記（１）の投げ釣り用おもりにおいて、投げ釣り用おもりのフロート部の上端側に設けた係止部は、前記シンカー部中央に立設された軸の先端から前記フロート部の下方を挿入させ、フロート部をシンカー部の上部へ固着させた後、前記軸の先端を折り曲げて丸くし、リングとしたものであることを特徴とする。
【０００８】
（３）本考案は前記（１）又は（２）の投げ釣り用おもりにおいて、前記フロート部及び前記シンカー部とをネジ止め機構により着脱自在に接合するとともに、前記フロート部又は前記シンカー部に空洞を設け、海底に着底したおもりの起立状態を調整するためのバラスト材や、プランクトンなどを誘引するための生物誘引剤、アタリを誘うためのラトル、振動モータ、発光ダイオードなどを配置するための収納部を有していることを特徴する。
【考案の効果】
【０００９】
本考案の投げ釣り用おもりは、その上端側に天秤などを係止する係止部を備えたフロート部と、フロート部の基端側に接合され半球状の底部を有するシンカー部と、を備えた自起立性に優れた投げ釣り用おもりであって、フロート部は、シンカー部に比較して軽量であり、その基端側の外径Ａが前記シンカー部の最大外径Ｂより小さく形成されるとともに、フロート部をその基端側から上端側に向かって縮径するようにしているので、海底で横倒しとなっても起立姿勢に素早く復元して（自起立性に優れ）、流れの速い潮流での自起立型を保持し、流されにくさを確保している。
また、魚の餌食い反応（アタリ）を敏感に把握することができ、所定の重量バランスを有した遠投性に優れている。
【図面の簡単な説明】
【００１０】
【図１】図１は実施例１の投げ釣り用おもりの断面図及びその分解図である。
【図２】図２はフロート部を軸に挿入して取り付ける態様を示す説明図である。
【図３】図３は実施例２の投げ釣り用おもりの断面図である。
【考案を実施するための形態】
【００１１】
本考案の一実施形態に係る投げ釣り用おもりは、比較的軽量のフロート部と比較的重量のシンカー部とから構成され、フロート部の上端側には天秤などを係止する係止部を備えている。
また、シンカー部はフロート部の基端側に接合され半球状の底部を有しており、自起立性に優れている。
そして、フロート部の基端側の外径Ａをシンカー部の最大外径Ｂより小さく形成し、フロート部をその基端側から上端側に向かって縮径するようにしているので、海底で横倒しとなっても起立姿勢に素早く復元して（自起立性に優れ）、流れの速い潮流での自起立型を保持し、魚の餌食い反応（アタリ）を敏感に把握することができる。
さらに、所定の重量バランスを有した遠投性に優れている。
また、遠州灘などのように潮流が速い場所においても容易に流されることなく、キス釣りのポイントに仕掛を留めることができる。
【００１２】
ここで、投げ釣り用おもりを海底で自起立させる意味は、仕掛けにつながる道糸を引っ張ったり緩めたりする操作（トレース）をして魚にアピール（誘い）を掛け、アタリの効果を大きくするためである。
また、おもりを天秤と一体化して用いた場合、おもりを自起立させることにより天秤の根掛かりを防止して、天秤に魚を誘うような動きをさせて釣果を上げることができるようにするためである。
【００１３】
投げ釣り用おもりのフロート部は、例えば、木質材やプラスチック材などの軽量材で作られており、その上端側に天秤などを係止するための係止部を備えている。
なお、フロート部はその浮力をさらに高めるために、その内部に所定容積の空洞部分を設けるようにしてもよい。
【００１４】
シンカー部は、例えば、鉛や銅、鉄、ステンレススチール、チタン、タングステンなどの金属製の重量材で作られており、その底部が半球状に形成され、投げ釣りの際に遠投するための重量を担う部分である。
フロート部の基端側にシンカー部の下端部が接着剤などによって接合されている。
また、シンカー部中央に細い金属製の軸を立設させ、この軸の先端からフロート部の下方を挿入させ、フロート部をシンカー部の上部へ固着させた後、軸の先端を折り曲げて丸くしリングとし、投げ釣り用おもりのフロート部の上端側に係止部を設け、シンカー部の上側にフロート部を接合させることもできる。
これによって、シンカー部とフロート部との接合強度を確実にし、投げ釣り用おもりの耐久性を高めることができる。
【００１５】
なお、フロート部とシンカー部とを接合して形成される投げ釣り用おもりは、その全長が約５０〜１００ｍｍ、シンカー部の最大外径Ｂが約２０〜３０ｍｍの「起き上がりこぼし型」の形状をしている。
また、底部が略半球状のシンカー部の最大外径Ｂは、とんがり帽子状のフロート部の基端側の外径Ａより段差を１〜３ｍｍ大きく設定することが以下の理由から好ましい。
すなわち、シンカー部の最大外径Ｂがフロート部の基端側の外径Ａとの段差が１ｍｍを超えるあたりから、海底への固定効果を大きくする効果が得られる。しかし段差が３ｍｍを超えるあたりから、大きくなるにつれ海底への固定効果が大きくなりすぎて巻き上げ時の抵抗が大きすぎる傾向が生じるからである。
【００１６】
本考案の実施形態に係る投げ釣り用おもりは、前記フロート部及び前記シンカー部とをネジ止め機構により着脱自在に接合するとともに、前記フロート部又は前記シンカー部に空洞を設け、海底に着底したおもりの起立状態を調整するためのバラスト材や、プランクトンなどを誘引するための生物誘引剤、アタリを誘うためのラトル、振動モータ、発光ダイオードなどを配置するための収納部を有するように構成することもできる。
これによって、投げ釣り用おもりに、遠投時や自起立時に必要な重量バランス調整効果や、魚誘引効果などを付加することができる。
こうして、キス釣りなどの際の遠投性に特に優れてよく飛び投げ易く、着底時の起き上がり特性にも優れるとともに、キス、カレイ、スズキ、マダイ、チヌなどへの誘いがやりやすく、アタリが良くとれる投げ釣り用おもりとすることができる。
【００１７】
収納部は、フロート部又はシンカー部の一部を切り欠いて空洞状に形成した部分であり、ここにバラスト材や、生物誘引剤、ラトル、振動モータ、発光ダイオードなどを収納することによって、投げ釣り用おもりに所定の機能を付加するようにしたものである。
なお、生物誘引剤を収納する場合には、収納部からフロート部表面に貫通する貫通孔を多数設けて薬剤などを放出させるが、振動モータと生物誘引剤とを併用することで、誘引剤などの水中への拡散効果を高めるようにしてもよい。
【００１８】
バラスト材としては、その直径が１〜５ｍｍのタングステン球、鉛球、鉄球などが挙げられ、投げ釣り対象となるキスなどの魚種や潮流や天候などの状況に応じて収納部への挿入数を設定して、投げ釣り用おもりの重量バランス、全重量を微妙に調整することができる。
収納部に配置されるバラスト材は、着脱自在に接合したフロート部とシンカー部を取り外すことによって、収納部への配置量を設定することができ、これによって仕掛けのキャスティング性や自起立性の調整を可能にするものである。
【００１９】
振動モータや発光ダイオードは駆動用の電池や、作動用ＩＣチップとともに収納部に配置され、所定のパターン、例えば１０秒毎に１秒間作動させるような繰り返し動作パターンに設定することで、魚への誘引効果を高められるようにしたものである。
なお、発光ダイオードを収納部に配置する場合には、すくなくともフロート部の一部を透明な高分子樹脂材で構成して、外部からその発光状態を視認可能にしておくことが好ましい。
【００２０】
（実施例１）
以下、図面を参照しながら本考案を具体化した実施例について説明する。
ここに、図１は本考案に係る実施例１の投げ釣り用おもりの断面図（ａ）及びその分解図（ｂ）を示し、図２はフロート部を軸に挿入して取り付ける態様を示す説明図である。
【００２１】
図１、図２に示すように、実施例１の釣り用オモリ１０は、その基端側１１ｂから上端側１１ａに向かって曲線状に縮径するようにした木質材のフロート部１１と、その下端に接合されたシンカー部１２の、二つの部分から構成されている。
【００２２】
シンカー部１２は、鉛合金からなる半球状の底部１２ａを有している。このシンカー部１２は鉛合金製であって、その重量は投げ釣り用おもり１０の全重量に対して、その７割〜９割程度に設定している。
シンカー部１２の半球状部分の最大外径（Ｂ）は３０ｍｍ、フロート部１１の下端の外径（Ａ）は２５ｍｍとなるようにするとともに、フロート部１１を含めた全長は８０ｍｍの長さとしている。
しかし、これらの寸法は、使用目的により適宜、変更することができる。
【００２３】
フロート部１１は、シンカー部１２の中央に立設された細い金属製の軸１５の先端から挿入させて、シンカー部１２の上部へ固着させてある。
そして、軸１５の先端を折り曲げて丸くしリング１６とし、投げ釣り用おもりのフロート部１１の上端側１１ａに係止部１３を設け、シンカー部１２の上側にフロート部１１を接合させている。
これによって、シンカー部１２とフロート部１１との接合を確実にし、投げ釣り用おもりの耐久性を高めている。
なお、フロート部１１やシンカー部１２は、その表面をウレタン樹脂やポリエチレン樹脂などで被覆塗装して耐水性や耐摩耗性を高めてあることが好ましい。
【００２４】
フロート部１１は、投げ釣り用おもり１０がその自起立状態を保持する状態を保持できる程度の浮力を付与するものであり、シンカー部１２との重量バランスなどを考慮して、その素材や、外径部分が上端側に徐々に縮小する曲線の形状を決定するようにしている。
また、フロート部１１の上端側１１ａに設けられた係止部１３には、いわゆるなみだの形状（長穴）をしており、リング１６には天秤などを結び付けることができるようになっている。
【００２５】
実施例１の投げ釣り用おもり１０は、通常の釣り仕掛けと同様にして、係止部１３に天秤を介して釣り糸（道糸あるいは力糸等）を結んで、釣り仕掛けとして仕上げる。
このような仕掛けにおいては、フロート部１１によって浮力を付与して、投げ釣り用おもりをその自起立状態に保持することができ、根などに接触した場合であっても釣り糸を引っ張ること（トレース）により、容易に根掛かりを外すことができる。
【００２６】
投げ釣り用おもり１０の外観形状は、フロート部１１の基端側１１ｂの外径Ａを、シンカー部１２の最大外径Ｂよりも小さくすることにより、海底への固定効果を大きくすることができ、潮流によっても流されにくくなるという効果が得られる。
さらに、フロート部１１の外周形状は、その上端側に向って次第に細くなるように曲線形状となっており、巻き上げの時の海水による抵抗を少なくする効果を有している。
【００２７】
なお、図１（ｂ）に示すように、シンカー部１２の半球形状を、最大外径Ｂよりも少し上方で切断してその外径Ｃを、フロート部１１の基端側１１ｂの外径Ａと略同じ寸法にすることもできる。すなわち、シンカー部１２の半球形状の上部切断の位置（外径Ａの位置）に最大外径Ｂの位置を上方向（Ａに近づける）にすることによって、シンカー部１２は変形球体（例えば楕円球）になるが、シンカー部１２の重心位置を底部１２ａの方向に移動させることができ、おもりの自起立性をより増すことができるのである。
【００２８】
なお、図２に示すように、フロート部は、軸に挿入して取り付けることもできる。すなわち、（ａ）に示すように、フロート部１１を、シンカー部１２中央に立設された金属製の細い軸１５の先端から、その下方を挿入させて、シンカー部１２の上部へ固着する（ｂ）。
そして、シンカー部の固着後、金属製軸１５の先端を折り曲げて丸め、シンカー部１２の上方で蝋付けしてリング１６を形成し、なみだの形状（長穴）の係止部１３とする（図１（ａ）の状態になる）。
そして、このリング１６には、天秤を取り付けるようにしている。
【００２９】
（実施例２）
図３は実施例２の投げ釣り用おもりの断面図を示している。図３に示すように、実施例２の釣り用おもり２０は、プラスチック材で曲線形状に形成されたフロート部２１と、その底部１２ａが球面状に形成されたタングステン製のシンカー部２２と、フロート部２１とシンカー部２２とを着脱自在に結合するためのネジ止め接合機構２３と、フロート部２１内に空洞を形成した収納部２４とを備えている。
なお、実施例２の投げ釣り用おもり２０は、実施例１の投げ釣り用おもり１０と略同様の外観形成であり、潮流に対するポイント固定効果は前述した実施例１の効果を具備するものである。
【００３０】
収納部２４には、投げ釣り用おもり２０に、適宜、所定の機能を付加するための各種機能材が収納可能となっている。
各種機能材とは、たとえば、重量バランス調整用のバラスト材や、魚をおもりの周囲に誘引するための誘引材、発光ダイオード、おもりに所定の振動を付加するための振動モータやラトルなどが挙げられる。
こうして、前記実施例１で示した起き上がり特性や、遠投性、ハンドリング性に加えて、必要な特性を適宜付加することができる汎用性にも優れた投げ釣り用おもりを提供することを可能としている。
【００３１】
本考案の投げ釣り用おもりは以上のように構成されているので、以下のような優れた特徴を発揮させることができる。
●海底の様子（砂地、砂利、泥、起伏の状態など）の把握が容易である。
●海底へ着底したあとは首振り動作で潮流による圧力を交わすことができ、流されにくい。
●シンカー部１２の底部１２ａが半球状となっているので首振り操作をしやすく、魚への誘いがやりやすい。
●接地重量が大きいので流されにくく、良く釣れる。
●シンカー部１２の底部１２ａが半球状となっているので、空中へ投げやすく、良く飛ぶ。
●フロート部１１が、上端側１１ａに向って次第に細くなるように曲線形状となっているので、巻き上げの時の海水による抵抗が少ない。
【００３２】
続いて、本考案の投げ釣り用おもり１０を用いたキス釣り用仕掛けの使用方法の一例を以下に述べる。
（イ）仕掛けとなる釣天秤を投げ釣り用おもりの係止部１３のリング１６に接続する。
（ロ）同じ重さのシンカーと比較すると空気抵抗が大きいため、竿にしっかり荷重が掛かる。力糸をしっかり握り、無理せず振り込むようにする。
（ハ）着底したら糸フケを取って、引き釣りを開始し海底の様子を把握する（トレース）。
（ニ）海底において変化の有る場所（小石や窪み、かけ下がり等）のポイントに来たら、道糸を緩めたり張ったりしてキスなどの魚に誘いを掛ける。
（ホ）アタリがきたら道糸を緩めてみる。キスが引っ張る力で竿先が少し曲がる程度にすると、最初に掛かったキスが仕掛を引き、更に誘いになる。ただし、誘いの時間が長過ぎると、仕掛は絡みバナナ状態になるので注意する。
（ヘ）キスが濃い場合には、最初のアタリが有ってから次のアタリまでの間隔が短ければ仕掛を早めに引き、間隔が長ければ仕掛をゆっくり丁寧に引くようにする。
（ト）アタリが有ったポイント（距離）を覚えておき、次の投入は、少し遠目に投げて、同じポイントをトレースできれば、好釣果につながることが期待できる。
【００３３】
以上説明したように、実施例の投げ釣り用おもりは、全体としてトンガリ帽子状の形状をしており、底部が半球状の鉛合金製などの重量の大きいシンカー部を設け、その上部に木質材等のフロート部を接合したものである。これによって、着底後、下部のシンカー部の半球状の底部を中心にして首を振るようにすることで自起立性を保持することができる。
このように、着底後のおもりを首を振るようにすることで、アタリの微妙さを良好に把握できる。すなわち、キスは、一度に食いつかずにちょこちょこと餌を喰う習性があるので、着底後のおもりを起立させておくことによって、キスの餌食い動作を敏感にとらえることができるのである。
【産業上の利用可能性】
【００３４】
以上説明したように本考案の投げ釣り用おもりは、流れの速い潮流においても自起立性に優れているので、アタリを敏感に把握することができ、釣果を向上させることができる。
【符号の説明】
【００３５】
１０    実施例１の投げ釣り用おもり
１１    フロート部
１１ａ  上端側
１１ｂ  基端側
１２    シンカー部
１２ａ  底部
１３    係止部
１５    軸
１５ａ  先端
１６    リング
２０    実施例２の投げ釣り用おもり
２１    フロート部
２２    シンカー部
２３    ネジ止め機構
２４    収納部
【図１】
0003180673.tif 000003
【図２】
0003180673.tif 000004
【図３】
0003180673.tif 000005